(57)【要約】  【課題】携帯型プロジェクターを据え置いた場合に、より高輝度な投写を行う。  【解決手段】収容ユニットに収容されるプロジェクターは、前記プロジェクターに電力を供給する電源部と、光源から射出された光と入力される画像信号とに基づいて、画像を投写する画像投写部と、前記プロジェクターの内部の空気を前記プロジェクターの外部へ排出する排気口と、前記プロジェクターが前記収容ユニットに収容された状態で、前記収容ユニットの排気口と連通し、前記収容ユニットの排気口から送られる空気を前記プロジェクターの内部に取り込む吸気口と、を備える。【選択図】図１
2015184587.tif 000002
【特許請求の範囲】
【請求項１】
収容ユニットに収容されるプロジェクターであって、
前記プロジェクターに電力を供給する電源部と、
光源を含み、前記光源から射出された光と入力される画像信号とに基づいて、画像を投写する画像投写部と、
前記プロジェクターの内部の空気を前記プロジェクターの外部へ排出する排気口と、
前記プロジェクターが前記収容ユニットに収容された状態で、前記収容ユニットの排気口と連通し、前記収容ユニットの排気口から送られる空気を前記プロジェクターの内部に取り込む吸気口と、
を備えるプロジェクター。
【請求項２】
請求項１に記載のプロジェクターであって、
前記収容ユニットと接続する接続端子を備え、
前記画像投写部は、前記接続端子に前記収容ユニットが接続されていない場合には、前記光源を、前記接続端子に前記収容ユニットが接続されている場合よりも低輝度で発光させる、
プロジェクター。
【請求項３】
請求項１又は２に記載のプロジェクターであって、
前記プロジェクターの吸気口から取り込まれた空気を前記プロジェクターの排気口から排出する冷却部、
を備えるプロジェクター。
【請求項４】
請求項３に記載のプロジェクターであって、
前記冷却部は、前記プロジェクターの排気口の近傍に配置される送風ファンを有し、前記送風ファンの送風方向は前記プロジェクターの排気口と交差し、
前記プロジェクターの吸気口は、当該吸気口からの空気の進入方向が前記プロジェクターの排気口の方向を向くように配置されている、
プロジェクター。
【請求項５】
請求項３に記載のプロジェクターであって、
空気を前記プロジェクターの内部に取り込む他の吸気口を備え、
前記冷却部は、前記プロジェクターの吸気口の近傍に配置される送風ファンを有し、前記プロジェクターの吸気口と前記他の吸気口からの空気を、前記プロジェクターの排気口に送る、
プロジェクター。
【請求項６】
請求項１〜５いずれか一項に記載のプロジェクターであって、
前記プロジェクターの吸気口には、フィルター、又は、前記プロジェクターが前記収容ユニットに収容された場合に開き、前記プロジェクターが前記収容ユニットに収容されていない場合に閉じるシャッター、が設けられている、
プロジェクター。
【請求項７】
プロジェクターを収容する収容ユニットであって、
前記プロジェクターと接続する接続端子と、
空気を前記収容ユニットの内部に取り込む吸気口と、
前記プロジェクターが前記収容ユニットに収容された状態で、前記プロジェクターの吸気口と連通し、前記収容ユニットの内部の空気を前記プロジェクターの吸気口へ排出する排気口と、
前記収容ユニットの吸気口から取り込まれた空気を前記収容ユニットの排気口から排出する冷却部と、
を備える収容ユニット。
【請求項８】
請求項７に記載の収容ユニットであって、
前記接続端子に前記プロジェクターが接続されている場合に、前記プロジェクターに電力を供給する電源部を備える、
収容ユニット。
【請求項９】
請求項７又は８に記載の収容ユニットであって、
前記冷却部は、前記接続端子に前記プロジェクターが接続されている場合に、動作を開始する、
収容ユニット。
【請求項１０】
請求項７〜９いずれか一項に記載の収容ユニットであって、
前記接続端子に前記プロジェクターが接続されている場合に、前記プロジェクターが備える光源を、前記接続端子に前記プロジェクターが接続されていない場合よりも高い輝度で発光させる指示を、前記接続端子を介して前記プロジェクターに送る制御部を備える、
収容ユニット。
【請求項１１】
請求項７に記載の収容ユニットであって、
前記プロジェクターは、前記プロジェクターの内部の空気を前記プロジェクターの外部へ排出する排気口を備え、
前記冷却部は、前記収容ユニットの排気口の近傍に配置される送風ファンを有し、前記送風ファンの送風方向は前記収容ユニットの排気口と交差し、かつ、前記プロジェクターの排気口の方向を向いている、
収容ユニット。
【請求項１２】
請求項７に記載の収容ユニットであって
画像信号が入力される入力端子と、
前記入力端子から入力された画像信号を、前記接続端子を介して前記プロジェクターへ出力する信号転送部と、
を備える収容ユニット。
【請求項１３】
請求項７〜１２いずれか一項に記載の収容ユニットであって、
前記収容ユニットの排気口には、前記プロジェクターが前記収容ユニットに収容された場合に開き、前記プロジェクターが前記収容ユニットに収容されていない場合に閉じるシャッター、が設けられている、
収容ユニット。
【請求項１４】
プロジェクターと、前記プロジェクターを収容する収容ユニットとを備える投写装置であって、
前記プロジェクターは、
光源を含み、前記光源から射出された光と入力される画像信号とに基づいて、画像を投写する画像投写部と、
前記プロジェクターの内部の空気を前記プロジェクターの外部へ排出する排気口と、
前記プロジェクターが前記収容ユニットに収容された状態で、前記収容ユニットの排気口と連通し、前記収容ユニットの排気口から送られる空気を前記プロジェクターの内部に取り込む吸気口と、
を備え、
前記収容ユニットは、
空気を前記収容ユニットの内部に取り込む吸気口と、
前記プロジェクターが前記収容ユニットに収容された状態で、前記プロジェクターの吸気口と連通し、前記収容ユニットの内部の空気を前記プロジェクターの吸気口へ排出する排気口と、
前記収容ユニットの吸気口から取り込まれた空気を前記収容ユニットの排気口から排出する冷却部と、
を備える、
投写装置。
【発明の詳細な説明】
【技術分野】
【０００１】
本発明は、プロジェクター、収容ユニット、及び投写装置に関する。
【背景技術】
【０００２】
据え置き型のプロジェクターよりも小型化した携帯型プロジェクターが知られている。例えば、特許文献１には、携帯型プロジェクターと当該携帯型プロジェクターを収納する補機とからなるドッキング型画像投影装置が記載されている。
【先行技術文献】
【特許文献】
【０００３】
【特許文献１】特開２００６−１１３４６号公報
【発明の概要】
【発明が解決しようとする課題】
【０００４】
しかしながら、特許文献１のドッキング型画像投影装置は、光源から発せられる熱を冷却する手段を備えていない。そのため、携帯型プロジェクターを補機にドッキングした状態で使用する場合でも、携帯型プロジェクターの光源から発せられる熱を冷却することができない。従って、特許文献１のドッキング型画像投影装置では、光源の輝度を高くしようとすると、光源の温度が上昇し、故障や誤動作を招くおそれがあり、より明るく大きな投写を行うことが困難である。
【０００５】
そこで、本発明は、携帯型プロジェクターを据え置いた場合に、より高輝度な投写を行うことを目的とする。
【課題を解決するための手段】
【０００６】
上記の課題を解決する第一の態様は、収容ユニットに収容されるプロジェクターであって、前記プロジェクターに電力を供給する電源部と、光源を含み、前記光源から射出された光と入力される画像信号とに基づいて、画像を投写する画像投写部と、前記プロジェクターの内部の空気を前記プロジェクターの外部へ排出する排気口と、前記プロジェクターが前記収容ユニットに収容された状態で、前記収容ユニットの排気口と連通し、前記収容ユニットの排気口から送られる空気を前記プロジェクターの内部に取り込む吸気口と、を備える。これにより、プロジェクターを収容ユニットに収容して据え置いた場合に、収容ユニットからプロジェクターに送られる空気により冷却することができるため、より高輝度な投写が可能となる。
【０００７】
上記プロジェクターにおいて、前記収容ユニットと接続する接続端子を備え、前記画像投写部は、前記接続端子に前記収容ユニットが接続されていない場合には、前記光源を、前記接続端子に前記収容ユニットが接続されている場合よりも低輝度で発光させる、ようにしてもよい。これにより、プロジェクターを収容ユニットから分離して使用する場合にはプロジェクターを低輝度で動作させ、プロジェクターを収容ユニットに収容した場合にはプロジェクターをより高輝度で動作させることができる。
【０００８】
上記プロジェクターにおいて、前記プロジェクターの吸気口から取り込まれた空気を前記プロジェクターの排気口から排出する冷却部を備える、ようにしてもよい。これにより、特に高輝度で動作する場合の冷却効果を向上することができる。
【０００９】
上記プロジェクターにおいて、前記冷却部は、前記プロジェクターの排気口の近傍に配置される送風ファンを有し、前記送風ファンの送風方向は前記プロジェクターの排気口と交差し、前記プロジェクターの吸気口は、当該吸気口からの空気の進入方向が前記プロジェクターの排気口の方向を向くように配置されている、ようにしてもよい。これにより、吸気口から進入し排気口へ排出される空気の流れが効率化し、冷却効果を向上することができる。
【００１０】
上記プロジェクターにおいて、空気を前記プロジェクターの内部に取り込む他の吸気口を備え、前記冷却部は、前記プロジェクターの吸気口の近傍に配置される送風ファンを有し、前記プロジェクターの吸気口と前記他の吸気口からの空気を、前記プロジェクターの排気口に送る、ようにしてもよい。これにより、プロジェクター内に取り込まれる空気の量を増やし、冷却効果を向上することができる。
【００１１】
上記プロジェクターにおいて、前記プロジェクターの吸気口には、フィルター、又は、前記プロジェクターが前記収容ユニットに収容された場合に開き、前記プロジェクターが前記収容ユニットに収容されていない場合に閉じるシャッター、が設けられている、ようにしてもよい。これにより、外部からの埃などの異物の進入を防ぐことができる。
【００１２】
上記の課題を解決する第二の態様は、プロジェクターを収容する収容ユニットであって、前記プロジェクターと接続する接続端子と、空気を前記収容ユニットの内部に取り込む吸気口と、前記プロジェクターが前記収容ユニットに収容された状態で、前記プロジェクターの吸気口と連通し、前記収容ユニットの内部の空気を前記プロジェクターの吸気口へ排出する排気口と、前記収容ユニットの吸気口から取り込まれた空気を前記収容ユニットの排気口から排出する冷却部と、を備える。これにより、プロジェクターを収容ユニットに収容して据え置いた場合に、収容ユニットからプロジェクターに空気を送って冷却することができるため、プロジェクターのより高輝度な投写が可能となる。
【００１３】
上記収容ユニットにおいて、前記接続端子に前記プロジェクターが接続されている場合に、前記プロジェクターに電力を供給する電源部を備える、ようにしてもよい。これにより、プロジェクターが収容された場合にプロジェクターに電力を供給し、より高輝度で動作させることができる。
【００１４】
上記収容ユニットにおいて、前記冷却部は、前記接続端子に前記プロジェクターが接続されている場合に、動作を開始する、ようにしてもよい。これにより、プロジェクターが収容された場合に、冷却を開始することができる。
【００１５】
上記収容ユニットにおいて、前記接続端子に前記プロジェクターが接続されている場合に、前記プロジェクターが備える光源を、前記接続端子に前記プロジェクターが接続されていない場合よりも高い輝度で発光させる指示を、前記接続端子を介して前記プロジェクターに送る制御部を備える、ようにしてもよい。これにより、プロジェクターが収容された場合に、収容ユニットからの指示でプロジェクターをより高輝度で動作させることができる。
【００１６】
上記収容ユニットにおいて、前記プロジェクターは、前記プロジェクターの内部の空気を前記プロジェクターの外部へ排出する排気口を備え、前記冷却部は、前記収容ユニットの排気口の近傍に配置される送風ファンを有し、前記送風ファンの送風方向は前記収容ユニットの排気口と交差し、かつ、前記プロジェクターの排気口の方向を向いている、ようにしてもよい。これにより、プロジェクターの吸気口から進入しプロジェクターの排気口へ排出される空気の流れが効率化し、冷却効果を向上することができる。
【００１７】
上記収容ユニットにおいて、画像信号が入力される入力端子と、前記入力端子から入力された画像信号を、前記接続端子を介して前記プロジェクターへ出力する信号転送部と、を備えるようにしてもよい。これにより、プロジェクターが収容されている場合には、収容ユニットに画像信号を入力すれば、画像投写を行うことができる。
【００１８】
上記収容ユニットにおいて、前記収容ユニットの排気口には、前記プロジェクターが前記収容ユニットに収容された場合に開き、前記プロジェクターが前記収容ユニットに収容されていない場合に閉じるシャッター、が設けられている、ようにしてもよい。これにより、外部からの埃などの異物の進入を防ぐことができる。
【００１９】
上記の課題を解決する第三の態様は、プロジェクターと、前記プロジェクターを収容する収容ユニットとを備える投写装置であって、前記プロジェクターは、光源を含み、前記光源から射出された光と入力される画像信号とに基づいて、画像を投写する画像投写部と、前記プロジェクターの内部の空気を前記プロジェクターの外部へ排出する排気口と、前記プロジェクターが前記収容ユニットに収容された状態で、前記収容ユニットの排気口と連通し、前記収容ユニットの排気口から送られる空気を前記プロジェクターの内部に取り込む吸気口と、を備え、前記収容ユニットは、空気を前記収容ユニットの内部に取り込む吸気口と、前記プロジェクターが前記収容ユニットに収容された状態で、前記プロジェクターの吸気口と連通し、前記収容ユニットの内部の空気を前記プロジェクターの吸気口へ排出する排気口と、前記収容ユニットの吸気口から取り込まれた空気を前記収容ユニットの排気口から排出する冷却部と、を備える。これにより、プロジェクターを収容ユニットに収容して据え置いた場合に、収容ユニットからプロジェクターに送られる空気により冷却することができるため、より高輝度な投写が可能となる。
【図面の簡単な説明】
【００２０】
【図１】本発明の一実施形態に係る投写装置の外観の一例を示す図である。図１（Ａ）は、プロジェクターを収容ユニットから分離した状態（正面斜視）を示し、図１（Ｂ）は、プロジェクターを収容ユニットに収容した状態（正面斜視）を示し、図１（Ｃ）は、プロジェクターを収容ユニットに収容した状態（背面斜視）を示す。
【図２】投写装置の冷却構造の一例を模式的に説明する図である。図２（Ａ）は、プロジェクターを収容ユニットから分離した状態（側面）を示し、図２（Ｂ）は、プロジェクターを収容ユニットに収容した状態（側面）を示す。
【図３】投写装置の電気的な概略構成の一例を示すブロック図である。
【図４】収容ユニットの処理の一例を示すフローチャートである。
【図５】プロジェクターの処理の一例を示すフローチャートである。
【図６】本発明の一実施形態の第一変形例に係る投写装置の冷却構造を模式的に説明する図である。図６（Ａ）は、プロジェクターを収容ユニットから分離した状態（側面）を示し、図６（Ｂ）は、プロジェクターを収容ユニットに収容した状態（側面）を示す。
【図７】本発明の一実施形態の第二変形例に係る投写装置の冷却構造を模式的に説明する図である。図７（Ａ）は、プロジェクターを収容ユニットから分離した状態（側面）を示し、図７（Ｂ）は、プロジェクターを収容ユニットに収容した状態（側面）を示す。
【発明を実施するための形態】
【００２１】
＜実施形態＞
以下、本発明の一実施形態について、図面を参照して説明する。
【００２２】
図１は、本発明の一実施形態に係る投写装置の外観の一例を示す図である。図１（Ａ）は、プロジェクターを収容ユニットから分離した状態（正面斜視）を示し、図１（Ｂ）は、プロジェクターを収容ユニットに収容した状態（正面斜視）を示し、図１（Ｃ）は、プロジェクターを収容ユニットに収容した状態（背面斜視）を示す。
【００２３】
なお、本実施形態では、図１（Ａ）及び（Ｂ）の右手前側を投写装置１の「正面」として、図１（Ａ）及び（Ｂ）の左奥側を投写装置１の「背面」として説明する。また、図１（Ｃ）の右手前側を投写装置１の「背面」として、図１（Ｃ）の左奥側を投写装置１の「正面」として説明する。
【００２４】
投写装置１は、プロジェクター２と、収容ユニット３とを備える。プロジェクター２は、携帯型プロジェクターであり、収容ユニット３から分離して（図１（Ａ））、又は収容ユニット３に収容して（図１（Ｂ），（Ｃ））使用される。
【００２５】
プロジェクター２の上面には、音声入力部２４、操作パネル２５等が配置されている。また、プロジェクター２の正面には、画像投写部１０、排気口Ｖ４等が配置されている。また、プロジェクター２の背面には、読取部２２、音声出力部２３等が配置されている。また、プロジェクター２の下面には、吸気口Ｖ３（図示せず。図２，３参照）、接続端子部２１（図示せず。図３参照）等が配置されている。
【００２６】
収容ユニット３の上部は、凹状になっており、当該凹部（収容部に相当する）にプロジェクター２が収容される。また、収容ユニット３の上面（凹部の底面）には、排気口Ｖ２、接続端子部５７等が配置されている。また、収容ユニット３の正面には、入力端子部５１等が配置されている。また、収容ユニット３の背面には、読取部５２、操作パネル５４等が配置されている。また、収容ユニット３の下面には、吸気口Ｖ１（図示せず。図２，３参照）等が配置されている。また、収容ユニット３の両側面には、音声出力部５３等が配置されている。
【００２７】
図２は、投写装置の冷却構造の一例を模式的に説明する図である。図２（Ａ）は、プロジェクターを収容ユニットから分離した状態（側面）を示し、図２（Ｂ）は、プロジェクターを収容ユニットに収容した状態（側面）を示す。なお、図２は、投写装置１を側面から見た状態を示しており、右側がプロジェクター２及び収容ユニット３の正面になり、左側がプロジェクター２及び収容ユニット３の背面になる。
【００２８】
プロジェクター２には、その正面の一部の領域に、排気口Ｖ４が設けられている。プロジェクター２の内部の排気口Ｖ４の近傍には、後述する送風ファンなどの冷却部３０が配置されている。また、プロジェクター２には、その下面の一部の領域に、吸気口Ｖ３が設けられている。
【００２９】
また、収容ユニット３は、その上面の一部の領域に、排気口Ｖ２が設けられている。収容ユニット３の内部の排気口Ｖ２の近傍には、後述する送風ファンなどの冷却部６０が配置されている。また、収容ユニット３には、その下面の一部の領域に、吸気口Ｖ１が設けられている。
【００３０】
ここで、吸気口Ｖ３及び排気口Ｖ２は、プロジェクター２が収容ユニット３に収容された状態で、互いに向かい合って連通するように配置されている。そして、冷却部６０により、吸気口Ｖ１から取り込まれた空気が収容ユニット３内部を通って排気口Ｖ２から排出される（吸気口Ｖ３に送られる）。さらに、冷却部３０により、吸気口Ｖ３から取り込まれた空気がプロジェクター２内部を通って、プロジェクター２の内部、特に画像投写部１０を冷却した後、排気口Ｖ４から排出される。
【００３１】
このように、プロジェクター２が収容ユニット３に収容された状態では、収容ユニット３からプロジェクター２に対して空気を送り込むことができる。すなわち、プロジェクター２に対する冷却効果をより高めることができるため、プロジェクター２を後述するようにより高輝度モードで動作させることができる。なお、プロジェクター２が分離された状態では、冷却部３０単体で吸気及び排気が行われるため、冷却効果が低く、高輝度モードで動作させることが難しい。
【００３２】
図３は、投写装置の電気的な概略構成の一例を示すブロック図である。
【００３３】
プロジェクター２は、画像投写部１０、制御部２０、接続端子部２１、読取部２２、音声出力部２３、音声入力部２４、操作パネル２５、電源部２６、画像信号処理部２７、ＯＳＤ（On Screen Display）処理部２８、光源駆動部２９、冷却部３０等を有する。画像投写部１０には、光源１１、光変調装置としての３つの液晶ライトバルブ１２Ｒ，１２Ｇ，１２Ｂ、投写光学系としての投写レンズ１３、ライトバルブ駆動部１４等が含まれる。
【００３４】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成される。光源１１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。つまり、光源１１から射出された光は、この液晶ライトバルブ１２Ｒ，１２Ｇ，１２Ｂを透過することによって変調され、画像データに応じた画像光が色光毎に形成される。形成された各色の画像光は、色合成光学系（図示せず）によって画素毎に合成されてカラー画像を表す画像光となった後、投写レンズ１３によってスクリーンＳＣ等に拡大投写される。
【００３６】
制御部２０は、ＣＰＵ（Central Processing Unit）や、各種データ等の一時記憶に用いられるＲＡＭ（Random Access Memory）等を備え、制御部２０の内部又は外部の記憶部（図示せず）に記憶されている制御プログラムに従って動作することによりプロジェクター２の動作を統括制御する。つまり、制御部２０は、当該記憶部とともにコンピューターとして機能する。なお、記憶部は、マスクＲＯＭ（Read Only Memory）や、フラッシュメモリー、ＦｅＲＡＭ（Ferroelectric RAM：強誘電体メモリー）等の不揮発性のメモリーにより構成される。記憶部には、プロジェクター２の動作を制御するための制御プログラムや各種データ等が記憶されている。また、制御部２０は、プロジェクター２が収容ユニット３に収容された状態では、収容ユニット３の制御部５０からの制御指示に基づき、プロジェクター２の動作を制御することができる。
【００３７】
接続端子部２１は、プロジェクター２が収容ユニット３に収容された状態で、収容ユニット３の接続端子部５７と接続される。接続端子部２１は、接続端子として、例えば、各種形式の画像信号を入力可能な入力端子、各種形式の音声信号を入力可能な入力端子、制御信号を入出力可能な入出力端子等を備える。また、接続端子部２１は、収容ユニット３から電力供給を受けるための電源端子を備える。電源端子は、電源部２６に接続され、収容ユニット３からの電力を電源部２６に供給する。なお、接続端子部２１は、接続端子として、例えば、各種形式の画像信号を出力可能な出力端子、各種形式の音声信号を出力可能な出力端子を備えてもよい。
【００３８】
読取部２２は、フラッシュメモリー等の可搬型の記憶媒体からのデータの読み取りを行う。読取部２２は、記憶媒体からデータを読み取り、制御部２０に送る。なお、制御部２０は、読取部２２により読み取られたデータを再生し、画像信号や音声信号を生成し、画像信号処理部２７や音声出力部２３に出力する。なお、制御部２０は、プロジェクター２が収容ユニット３に接続されているとき、生成した音声信号を収容ユニット３に転送し、収容ユニット３の音声出力部５３から音声が出力されるようにしてもよい。
【００３９】
音声出力部２３は、例えばスピーカー、当該スピーカーの駆動回路、Ｄ／Ａ変換回路等を有し、制御部２０の指示に従って、入力される音声信号に基づく音声を出力する。
【００４０】
音声入力部２４は、例えばマイクロフォン、当該マイクロフォンの駆動回路、Ａ／Ｄ変換回路等を有し、音声の入力を受け付けて制御部２０に出力する。なお、制御部２０は、例えば、入力された音声を録音して記憶部等に格納する。記憶部等に格納された音声データは、制御部２０が再生することができる。
【００４１】
操作パネル２５は、プロジェクター２に対して各種指示を行うための複数の操作キーを備えている。操作パネル２５が備える操作キーとしては、例えば、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」等がある。ユーザーが操作パネル２５の各種操作キーを操作すると、操作パネル２５は、ユーザーの操作内容に応じた操作信号を制御部２０に出力する。
【００４２】
電源部２６は、電源ケーブル等を用いずにプロジェクター２を動作させることができる電源であり、例えば充電式のバッテリー、当該バッテリーの制御回路等を備える。電源部２６は、プロジェクター２の各構成要素に電力を供給する。接続端子部２１の電源端子を介して収容ユニット３から供給される電力は、電源部２６のバッテリーの充電に使用される。
【００４３】
画像信号処理部２７は、接続端子部２１から入力された各種形式の画像信号、又は制御部２０から入力された画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２７で画質調整がなされた画像データは、ＯＳＤ処理部２８に出力される。
【００４４】
ＯＳＤ処理部２８は、制御部２０の指示に基づいて、メニュー画像やメッセージ画像等のＯＳＤ画像を、画像信号処理部２７から入力される画像データに基づく画像（入力画像）上に重畳する処理を行う。ＯＳＤ処理部２８は、ＯＳＤメモリー（図示せず）を備えており、ＯＳＤ画像を形成するための図形やフォント等を表すＯＳＤ画像データを記憶している。制御部２０が、ＯＳＤ画像の重畳を指示すると、ＯＳＤ処理部２８は、必要なＯＳＤ画像データをＯＳＤメモリーから読み出し、入力画像の所定の位置にＯＳＤ画像が重畳されるように、画像信号処理部２７から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２８は、画像信号処理部２７から出力される画像データを、そのままライトバルブ駆動部１４に出力する。
【００４５】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣ等に投写される。
【００４６】
光源駆動部２９は、制御部２０からの指示に従って、光源１１を点灯又は消灯させる。また、光源駆動部２９は、制御部２０からの指示に従って、光源１１の輝度を高くしたり低くしたりする。例えば光源ランプ１１ａが高圧放電灯の場合には、光源駆動部２９は、始動電圧を印加する点灯回路や、適正なランプ電流を供給する安定器などにより構成される。
【００４７】
冷却部３０は、例えば送風ファン、送風ファンを回転させるモーター、モーターの駆動回路等を有し、制御部２０の指示に従って送風ファンの回転を開始又は停止する。制御部２０の指示に従って、回転速度を変化させてもよい。
【００４８】
収容ユニット３は、制御部５０、入力端子部５１、読取部５２、音声出力部５３、操作パネル５４、電源部５５、信号転送部５６、接続端子部５７、冷却部６０等を有する。
【００４９】
制御部５０は、ＣＰＵや、各種データ等の一時記憶に用いられるＲＡＭ等を備え、制御部５０の内部又は外部の記憶部に記憶されている制御プログラムに従って動作することにより収容ユニット３の動作を統括制御する。つまり、制御部５０は、記憶部とともにコンピューターとして機能する。なお、記憶部は、マスクＲＯＭや、フラッシュメモリー、ＦｅＲＡＭ等の不揮発性のメモリーにより構成される。記憶部には、収容ユニット３の動作を制御するための制御プログラムや各種データ等が記憶されている。なお、制御部５０は、収容ユニット３にプロジェクター２が収容された状態では、プロジェクター２の動作も制御することができる。
【００５０】
入力端子部５１は、ＰＣ（Personal Computer）等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号や音声信号を入力可能なＰＣ系の入力端子、映像機器等からの画像信号や音声信号を入力可能なビデオ系の入力端子等がある。入力端子部５１は、制御部２０の指示により複数の入力端子のうち１つの入力端子を選択し、この入力端子に入力される画像信号や音声信号を信号転送部５６に出力する。
【００５１】
読取部５２は、ＤＶＤ（Digital Versatile Disc）等の可搬型の記憶媒体からのデータの読み取りを行う。読取部５２は、記憶媒体からデータを読み取り、制御部５０に送る。読取部５２に替えて、又は、加えて、フラッシュメモリー等の可搬型の記憶媒体からのデータの読み取りを行う読取部を設けてもよい。なお、制御部５０は、読取部５２により読み取られたデータを再生し、画像信号や音声信号を生成し、信号転送部５６や音声出力部５３に出力する。
【００５２】
音声出力部５３は、例えばスピーカー、当該スピーカーの駆動回路、Ｄ／Ａ変換回路等を有し、制御部５０の指示に従って、入力される音声信号に基づく音声を出力する。
【００５３】
操作パネル５４は、収容ユニット３に対して各種指示を行うための複数の操作キーを備えている。操作パネル５４が備える操作キーとしては、例えば、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」等がある。ユーザーが操作パネル５４の各種操作キーを操作すると、操作パネル５４は、ユーザーの操作内容に応じた操作信号を制御部５０に出力する。
【００５４】
電源部５５は、商用電源等の外部電源と電源ケーブルを介して接続され、電力供給を受ける。電源部５５は、収容ユニット３の各構成要素に電力を供給する。また、電源部５５の電力は、接続端子部５７の電源端子を介してプロジェクター２にも供給される。
【００５５】
信号転送部５６は、入力端子部５１から入力された各種形式の画像信号や音声信号、又は制御部５０から入力された画像信号や音声信号等を、接続端子部５７を介してプロジェクター２に出力する。また、信号転送部５６は、制御部５０から入力されたプロジェクター２への制御信号を、接続端子部５７を介してプロジェクター２に出力する。また、信号転送部５６は、接続端子部５７から入力されたプロジェクター２からの制御信号を、制御部５０に出力する。なお、信号転送部５６は、接続端子部５７から入力されたプロジェクター２からの画像信号や音声信号を、制御部５０に出力してもよい。
【００５６】
接続端子部５７は、プロジェクター２が収容ユニット３に収容された状態で、プロジェクター２の接続端子部２１と接続される。接続端子部５７は、接続端子としては、例えば、各種形式の画像信号を出力可能な出力端子、各種形式の音声信号を出力可能な出力端子、制御信号を入出力可能な入出力端子等を備える。また、接続端子部５７は、プロジェクター２へ電力を供給するための電源端子を備える。電源端子は、電源部５５に接続され、電源部５５からの電力をプロジェクター２に供給する。なお、接続端子部５７は、接続端子として、例えば、各種形式の画像信号を入力可能な入力端子、各種形式の音声信号を入力可能な入力端子を備えてもよい。
【００５７】
冷却部６０は、例えば送風ファン、送風ファンを回転させるモーター、モーターの駆動回路等を有し、制御部５０の指示に従って送風ファンの回転を開始又は停止する。制御部５０の指示に従って、回転速度を変化させてもよい。制御部５０は、例えば接続端子部５７を介してプロジェクター２の内部の温度を取得し、取得した温度に基づいて冷却部６０に指示を出し、送風ファンの回転速度を変化させてもよい。
【００５８】
図４は、収容ユニットの処理の一例を示すフローチャートである。図４のフローチャートは、例えば収容ユニット３の電源がオンされた場合に開始される。なお、プロジェクター２が収容ユニット３に収容されている状態では、例えば、プロジェクター２及び収容ユニット３のいずれか一方の電源がオンされたときに、他方の電源もオンされるものとする。
【００５９】
まず、制御部５０は、接続端子部５７にプロジェクター２が接続されているか否かを判定する（ステップＳ１０）。プロジェクター２が収容ユニット３に収容されているか否かの検出の仕方は特に限定されないが、例えば、プロジェクター２の制御部２０は、所定の制御信号を接続端子部２１を介して収容ユニット３に出力するものとする。この場合、制御部５０は、接続端子部５７に所定の制御信号が入力されているか否かを判定する（所定の制御信号が入力されている場合、プロジェクター２が接続されている）。
【００６０】
プロジェクター２が接続されている場合（ステップＳ１０でＹ）、制御部５０は、プロジェクター２の制御を開始する（ステップＳ１１）。例えば、制御部５０は、制御部２０に対して所定の制御信号を送り、制御部２０を待ち受け状態に遷移させる。これにより、制御部２０は、制御部５０の指示に従ってプロジェクター２の制御を行う。
【００６１】
それから、制御部５０は、プロジェクター２を高輝度モードに設定にする（ステップＳ１２）。
【００６２】
本実施形態では、低輝度モードと高輝度モードがある。低輝度モードは、プロジェクター２が収容ユニット３から分離されている場合に使用されるモードである。高輝度モードは、プロジェクター２が収容ユニット３に収容されている場合に使用されるモードである。低輝度モードでは、プロジェクター２は、光源１１を高輝度モードよりも暗く発光させる（冷却部３０も動作させる）。高輝度モードでは、プロジェクター２は、光源１１を低輝度モードよりも明るく発光させ（冷却部３０も動作させる）、収容ユニット３は、冷却部６０を動作させる。
【００６３】
具体的には、制御部５０は、高輝度モードの指示を制御部２０に送る。これに応じて、制御部２０は、後述する図５のステップＳ２２〜Ｓ２３の処理を行う。制御部２０は、制御部５０から高輝度モードの指示がなくても、プロジェクター２が収容ユニット３に接続されていることが検出され場合に、高輝度モードで動作するようにしてもよい。なお、高輝度モードでは光源１１が高輝度発光するため、電源部５５は、制御部５０の指示に従って、プロジェクター２が低輝度モード時に消費する電力よりも大きな電力を、プロジェクター２に供給する。
【００６４】
また、制御部５０は、冷却部６０を起動する（ステップＳ１３）。これにより、吸気口Ｖ１から取り込まれた空気が収容ユニット３内部を通って排気口Ｖ２から排出される（吸気口Ｖ３に送られる）。冷却部６０は、プロジェクター２が高輝度モードで動作するとき、プロジェクター２の内部を冷却可能な量の空気を送風する。
【００６５】
また、制御部５０は、画像出力及び音声出力を行う（ステップＳ１４）。具体的には、制御部５０は、入力端子部５１に画像信号が入力されている場合には、入力端子部５１から入力された画像信号をプロジェクター２に出力するように、信号転送部５６に指示する。これにより、プロジェクター２から高輝度の画像の投写が行われる。また、制御部５０は、入力端子部５１に音声信号が入力されている場合には、入力端子部５１から入力された音声信号を取得し、音声出力部５３に出力する。これにより、収容ユニット３から音声が出力される。もちろん、音声信号をプロジェクター２に転送し、プロジェクター２の音声出力部２３から音声が出力されるようにしてもよい。
【００６６】
なお、制御部５０は、記憶媒体に記録されているデータを再生する場合には、読取部５２により記憶媒体のデータを読み取り、読み取ったデータに基づいて画像信号を生成し、生成した画像信号をプロジェクター２に出力するように信号転送部５６に指示する。また、記憶媒体のデータに音声が含まれる場合には、制御部５０は、読み取ったデータに基づいて音声信号を生成し、生成した音声信号を音声出力部５３に出力する。もちろん、音声信号をプロジェクター２に転送し、プロジェクター２の音声出力部２３から音声が出力されるようにしてもよい。
【００６７】
プロジェクター２が接続されていない場合（ステップＳ１０でＮ）、制御部５０は、音声出力を行う（ステップＳ１５）。具体的には、制御部５０は、入力端子部５１に音声信号が入力されている場合には、入力端子部５１から入力された音声信号を取得し、音声出力部５３に出力する。これにより、収容ユニット３から音声が出力される。
【００６８】
なお、制御部５０は、記憶媒体に記録されている、音声を含むデータを再生する場合には、読取部５２により記憶媒体のデータを読み取り、読み取ったデータに基づいて音声信号を生成し、音声出力部５３に出力する。
【００６９】
制御部５０は、収容ユニット３の電源がオフされた場合等に、図４の処理を終了する。
【００７０】
図５は、プロジェクターの処理の一例を示すフローチャートである。図５のフローチャートは、例えばプロジェクター２の電源がオンされた場合に開始される。なお、プロジェクター２が収容ユニット３に収容されている状態では、例えば、プロジェクター２及び収容ユニット３のいずれか一方の電源がオンされたときに、他方の電源もオンされるものとする。
【００７１】
まず、制御部２０は、接続端子部２１に収容ユニット３が接続されているか否かを判定する（ステップＳ２０）。プロジェクター２が収容ユニット３に収容されているか否かの検出の仕方は特に限定されないが、例えば、収容ユニット３の制御部５０は、所定の制御信号を接続端子部５７を介してプロジェクター２に出力するものとする。この場合、制御部２０は、接続端子部２１に所定の制御信号が入力されているか否かを判定する（所定の制御信号が入力されている場合、収容ユニット３が接続されている）。
【００７２】
収容ユニット３が接続されている場合（ステップＳ２０でＹ）、制御部２０は、収容ユニット３からの制御を開始する（ステップＳ２１）。例えば、制御部２０は、制御部５０から所定の制御信号を受信し、待ち受け状態に遷移する。これにより、制御部２０は、制御部５０の指示に従ってプロジェクター２の制御を行う。
【００７３】
それから、制御部２０は、光源１１を高輝度発光させる（ステップＳ２２）。具体的には、制御部２０は、制御部５０から高輝度モードの指示を受け付けると、光源１１を低輝度モードよりも明るく発光させるように光源駆動部２９に指示する。これにより、プロジェクター２は、高輝度での画像投写が可能となる。
【００７４】
また、制御部２０は、冷却部３０を起動する（ステップＳ２３）。これにより、収容ユニット３の排気口Ｖ２から排出され、吸気口Ｖ３から取り込まれた空気が、プロジェクター２内部を通って排気口Ｖ４から排出される。
【００７５】
また、制御部２０は、画像出力を行う（ステップＳ２４）。具体的には、制御部２０は、接続端子部２１に画像信号が入力されている場合には、接続端子部２１から入力された画像信号を処理するように、画像信号処理部２７に指示する。これにより、プロジェクター２から高輝度の画像の投写が行われる。もちろん、制御部２０は、接続端子部２１に音声信号が入力されている場合には、接続端子部２１から入力された音声信号を取得し、取得した音声信号を音声出力部２３に出力するようにしてもよい。
【００７６】
なお、制御部２０は、記憶媒体に記録されているデータを再生する場合には、読取部２２により記憶媒体のデータを読み取り、読み取ったデータに基づいて画像信号を生成し、生成した画像信号を画像信号処理部２７に出力する。また、記憶媒体のデータに音声が含まれる場合には、制御部２０は、読み取ったデータに基づいて音声信号を生成し、生成した音声信号を音声出力部２３に出力する。
【００７７】
収容ユニット３が接続されていない場合（ステップＳ２０でＮ）、制御部２０は、光源１１を低輝度発光させる（ステップＳ２５）。具体的には、制御部２０は、光源１１を高輝度モードよりも暗く発光させるように光源駆動部２９に指示する。これにより、プロジェクター２は、低輝度での画像投写が可能となる。
【００７８】
また、制御部２０は、冷却部３０を起動する（ステップＳ２６）。これにより、吸気口Ｖ３から取り込まれた空気がプロジェクター２内部を通って排気口Ｖ４から排出される。なお、低輝度モードでは、制御部２０は、冷却部３０を起動させなくてもよい。
【００７９】
また、制御部２０は、画像出力及び音声出力を行う（ステップＳ２４）。具体的には、制御部２０は、記憶媒体に記録されているデータを再生する場合には、読取部２２により記憶媒体のデータを読み取り、読み取ったデータに基づいて画像信号を生成し、画像信号処理部２７に出力する。また、記憶媒体のデータに音声が含まれる場合には、制御部２０は、読み取ったデータに基づいて音声信号を生成し、音声出力部２３に出力する。
【００８０】
制御部２０は、プロジェクター２の電源がオフされた場合等に、図５の処理を終了する。
【００８１】
以上、本発明の一実施形態について説明した。本実施形態によれば、プロジェクター２を収容ユニット３に収容して据え置いた場合に、収容ユニット３からプロジェクター２に送られる空気により冷却効果を高めることができるため、より高輝度な投写を行うことができる。また、プロジェクター２が収容ユニット３に接続されたとき、収容ユニット３から供給される電力により高輝度モードで動作するので、プロジェクター２に搭載する電源部の容量を小さくすることができ、また、プロジェクター２の冷却部３０は低輝度モードで動作するときに必要な量の空気を送風する能力を有するより小型の送風ファンを備えればよいので、プロジェクター２の筐体を小さくすることができる。
【００８２】
＜第一変形例＞
上記の実施形態では、プロジェクター２の下面及び収容ユニット３の上面（凹部の底面）は、平面状になっている（図１、図２参照）。また、冷却部６０の送風ファンは、その送風方向が、プロジェクター２の下面（吸気口Ｖ３）と直交するように設けられている。また、冷却部３０の送風ファンは、その送風方向が、プロジェクター２の正面（排気口Ｖ４）と直交するように設けられている。そのため、図１に示すように、吸気口Ｖ３への空気の進入方向と排気口Ｖ４からの空気の排出方向とが、直交する関係にあり（吸気口Ｖ３から進入した空気の流れる方向の変化が急激である）、吸気口Ｖ３から排気口Ｖ４への空気の流れの効率が悪い。
【００８３】
そこで、上記の実施形態の第一変形例は、上記の実施形態よりもプロジェクター２内部の空気の流れの効率を向上させる。第一変形例は、主に、プロジェクター２の形状と、収容ユニット３の形状と、冷却部６０の配置とが、上記の実施形態と異なるため、これらの異なる点を中心に説明する。
【００８４】
図６は、第一変形例に係る投写装置の冷却構造を模式的に説明する図である。図６（Ａ）は、プロジェクターを収容ユニットから分離した状態（側面）を示し、図６（Ｂ）は、プロジェクターを収容ユニットに収容した状態（側面）を示す。なお、図６は、投写装置１を側面から見た状態を示しており、右側がプロジェクター２及び収容ユニット３の正面になり、左側がプロジェクター２及び収容ユニット３の背面になる。
【００８５】
収容ユニット３の上面（凹部の底面）の少なくとも一部の領域には、凸部Ａが形成されており、当該凸部Ａの上面の少なくとも一部の領域に排気口Ｖ２が形成されている。プロジェクター２の下面の少なくとも一部の領域には、凹部Ｂが形成されており、当該凹部Ｂの底面の少なくとも一部の領域に吸気口Ｖ３が形成されている。凸部Ａは、プロジェクター２が収容ユニット３に収容された状態で、凹部Ｂに嵌り込む形状となっている。また、排気口Ｖ２及び吸気口Ｖ３は、凸部Ａが凹部Ｂに嵌り込んだ状態で、互いに向かい合って連通するように配置されている。
【００８６】
ここで、凸部Ａの上面は、プロジェクター２の排気口Ｖ４の方向を向いている。また、凹部Ｂのプロジェクター２内部側の面（底面の裏面）は、プロジェクター２の排気口Ｖ４の方向を向いている。すなわち、凸部Ａの上面と凹部Ｂの底面とは、平行となる。また、冷却部６０の送風ファンは、その送風方向が、凸部Ａの上面（排気口Ｖ２）及び凹部Ｂの底面（吸気口Ｖ３）と直交するように設けられている。また、冷却部６０の送風ファンの送風方向は、排気口Ｖ４の方向を向いているともいえる。
【００８７】
このようにすることで、図６に示すように、吸気口Ｖ３への空気の進入方向が、排気口Ｖ４からの空気の排出方向に対して垂直よりも小さい角度で交差するため、吸気口Ｖ３から進入した空気が流れる方向の急激な変化がなくなり、吸気口Ｖ３から排気口Ｖ４への空気の流れの効率がよくなる。
【００８８】
＜第二変形例＞
上記の実施形態や上記の第一変形例における冷却部３０は、排気口Ｖ４の近傍でなく、吸気口Ｖ３の近傍に設けるようにしてもよい。上記の実施形態の第二変形例は、主に、冷却部３０の配置が、上記の実施形態と異なるため、この異なる点を中心に説明する。
【００８９】
図７は、第二変形例に係る投写装置の冷却構造を模式的に説明する図である。図７（Ａ）は、プロジェクターを収容ユニットから分離した状態（側面）を示し、図７（Ｂ）は、プロジェクターを収容ユニットに収容した状態（側面）を示す。なお、図７は、投写装置１を側面から見た状態を示しており、右側がプロジェクター２及び収容ユニット３の正面になり、左側がプロジェクター２及び収容ユニット３の背面になる。
【００９０】
冷却部３０は、吸気口Ｖ３の近傍に配置されている。冷却部３０の送風ファンは、その送風方向が、プロジェクター２の正面と直交するように設けられている。また、プロジェクター２には、その背面の一部の領域には、吸気口Ｖ５が設けられている。
【００９１】
冷却部６０により吸気口Ｖ３から取り込まれた空気は、冷却部３０により排気口Ｖ４の方向に送られ、排気口Ｖ４から排出される。また、冷却部３０により、吸気口Ｖ５から取り込まれた空気がプロジェクター２内部を通って排気口Ｖ４から排出される。
【００９２】
このように、冷却部３０を吸気口Ｖ３近傍に配置するとともに、プロジェクター２に吸気口Ｖ５を設けることで、プロジェクター２内に取り込まれる空気の量を増やすとともに、増えた空気を画像投写部１０に当てることができる。このようにしても、冷却効果を高めることができる。
【００９３】
もちろん、上記の本発明の実施形態や変形例は、本発明の要旨と範囲を例示することを意図し、限定するものではない。例えば、複数の変形例を組み合わせてもよい。また、例えば、上記の実施形態に以下のような変形を加えてもよい。
【００９４】
例えば、上記の本発明の実施形態や変形例のプロジェクター２の冷却部３０は、必須のものではない。すなわち、低輝度モードにおいてはプロジェクター２を冷却しなくても問題がなく、また、高輝度モードにおいては収容ユニット３の冷却部６０でプロジェクター２を十分冷却できる、というような場合には、プロジェクター２に冷却部３０を設けなくてもよい。このようにすれば、プロジェクター２の筐体をより小さくすることができる。
【００９５】
例えば、収容ユニット３の排気口Ｖ２には、外部からの埃などの異物の進入を防ぐフィルターを設けるようにしてもよい。これにより、プロジェクター２が収容されていない場合に、埃などの進入を防ぐことができる。なお、プロジェクター２の吸気口Ｖ３に、フィルターを設けるようにしてもよい。これにより、プロジェクター２内部への埃などの進入を防ぐことができる。
【００９６】
また、例えば、収容ユニット３の排気口Ｖ２には、プロジェクター２が収容された場合に開き、プロジェクター２が収容されていない場合に閉じる機械式のシャッターを設けてもよい。シャッターは、外部からの埃などの異物の進入を遮断するものである。これにより、プロジェクター２が収容されていない場合に、埃などの進入を防ぐことができる。なお、プロジェクター２の吸気口Ｖ３に、手動で開閉可能なシャッターを設けるようにしてもよい。これにより、プロジェクター２が収容ユニット３に収容されておらず、使用されていない場合に、プロジェクター２内部への埃などの進入を防ぐことができる。なお、プロジェクター２が冷却部３０を備えない場合には、吸気口Ｖ３に、収容ユニット３に収容された場合に開き、収容ユニット３に収容されていない場合に閉じる機械式のシャッターを設けてもよい。
【００９７】
また、例えば、プロジェクター２の排気口Ｖ４及び吸気口Ｖ３の近傍に、それぞれに対応する冷却部を設けるようにしてもよい。また、例えば、収容ユニット３の排気口Ｖ２及び吸気口Ｖ１の近傍に、それぞれに対応する冷却部を設けるようにしてもよい。このようにすれば、さらに冷却効果を高めることができる。
【００９８】
また、上記の実施形態及び変形例では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００９９】
また、上記の実施形態及び変形例では、光源１１は、放電型の光源ランプ１１ａによって構成されているが、ＬＥＤ（Light Emitting Diode：発光ダイオード）光源、ＬＤ（Laser Diode：半導体レーザー）、ＳＬＤ（Super Luminescent Diode）、有機ＥＬ素子等の光源や、その他の光源を用いることもできる。
【０１００】
なお、上記の実施形態及び変形例で説明したプロジェクター２及び収容ユニット３の形状、大きさ、部品の配置等は、上述したような冷却効果を高める構造を備えていれば、図示したものに限られない。
【０１０１】
また、上記した投写装置１の電気的な概略構成は、投写装置１の構成を理解容易にするために、主な処理内容に応じて分類したものである。構成要素の分類の仕方や名称によって、本願発明が制限されることはない。投写装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【０１０２】
また、上記で説明したフローチャートの処理単位は、投写装置１の処理を理解容易にするために、主な処理内容に応じて分割したものである。処理単位の分割の仕方や名称によって、本願発明が制限されることはない。投写装置１の処理は、処理内容に応じて、さらに多くの処理単位に分割することもできる。また、１つの処理単位がさらに多くの処理を含むように分割することもできる。さらに、上記のフローチャートの処理順序も、図示した例に限られるものではない。
【０１０３】
また、本発明では、「直交」、「垂直」などの言葉を用いているが、言葉どおりの意味に限られず、実質的に同一な場合（すなわち、本実施形態の効果を発揮できる場合）も含む。
【符号の説明】
【０１０４】
１：投写装置
２：プロジェクター
３：収容ユニット
１０：画像投写部
１１：光源
１１ａ：光源ランプ
１１ｂ：リフレクター
１２Ｒ，１２Ｇ，１２Ｂ：液晶ライトバルブ
１３：投写レンズ
１４：ライトバルブ駆動部
２０：制御部
２１：接続端子部
２２：読取部
２３：音声出力部
２４：音声入力部
２５：操作パネル
２６：電源部
２７：画像信号処理部
２８：ＯＳＤ処理部
２９：光源駆動部
３０：冷却部
５０：制御部
５１：入力端子部
５２：読取部
５３：音声出力部
５４：操作パネル
５５：電源部
５６：信号転送部
５７：接続端子部
６０：冷却部
Ａ：凸部
Ｂ：凹部
ＳＣ：スクリーン
Ｖ１：吸気口
Ｖ２：排気口
Ｖ３：吸気口
Ｖ４：排気口
Ｖ５：吸気口
【図１】
2015184587.tif 000003
【図２】
2015184587.tif 000004
【図３】
2015184587.tif 000005
【図４】
2015184587.tif 000006
【図５】
2015184587.tif 000007
【図６】
2015184587.tif 000008
【図７】
2015184587.tif 000009